(57)【特許請求の範囲】
【請求項１】
垂木で支持された野地板と、該野地板の上に敷設される防水シート層と、該防水シート層上に固定されかつ屋根の流れ方向と直交する向きにのびる長尺の横桟と、該横桟に係止部を引っかけ係止される瓦と、該瓦を横桟に固定する固着具とを含む少なくとも一つの瓦屋根面を有する屋根構造であって、
前記横桟は、支持部材を介して前記防水シート層に固定されることにより、該支持部材間に、該横桟と交わる向きの排水流路が設けられ、
しかも前記固着具は、前記排水流路を通ることなく、前記瓦に設けられた挿通孔から、該瓦、前記横桟、前記支持部材、及び前記防水シート層を連続して貫通することを特徴とする屋根構造。
【請求項２】
前記支持部材は、前記流れ方向に沿ってのびる長尺をなしかつ横桟の長手方向に隔設された縦桟からなる請求項１に記載の屋根構造。
【請求項３】
前記支持部材は、前記横桟の下面から防水シート層側へ突出するブロック状の突出体からなる請求項１に記載の屋根構造。
【請求項４】
前記突出体は、前記横桟の幅方向の両端内で終端する請求項３記載の屋根構造。
【請求項５】
前記突出体は、前記横桟とは別体又は一体に設けられる請求項３又は４に記載の屋根構造。
【請求項６】
前記支持部材には、その下面に、前記防水シート層とは別の防水シート層又はシーリング材が配される請求項１乃至５のいずれかに記載の屋根構造。
【請求項７】
前記瓦屋根面は、幅方向の中間位置を、前記瓦を配置する際に該瓦の幅方向の一側縁を一致させる基準位置とし、
前記支持部材は、瓦の前記一側縁と前記固着具が挿通される前記挿通孔との距離Ｌ２を前記基準位置から一方側に隔てた第１の位置、
及び前記瓦の働き幅Ｌ１と前記距離Ｌ２との差（Ｌ１−Ｌ２）の距離を前記基準位置から他方側に隔てた第２の位置に配されるとともに、
前記第１の位置から一方側に、及び／又は前記第２の位置から他方側に、前記働き幅Ｌ１の間隔で隔設されることを特徴とする請求項１乃至６のいずれかに記載の屋根構造。
【請求項８】
前記瓦は、千鳥状に配置されるとともに、
前記支持部材は、前記第１の位置と前記第２の位置との中間位置である第３の位置にも配され、
前記第３の位置から、一方側及び／又は他方側に、前記働き幅Ｌ１の間隔で隔設される請求項７に記載の屋根構造。
【発明の詳細な説明】
【技術分野】
【０００１】
本発明は、野地板や小屋裏への浸水を抑制し、耐久性を向上しうる屋根構造に関する。
【背景技術】
【０００２】
図１２（ａ）、（ｂ）には、従来の屋根構造ａが示される。この屋根構造ａは、垂木ｍで支持された野地板ｂと、該野地板ｂの上に敷設される防水シート層ｃと、該防水シート層ｃ上に固定されかつ屋根の流れ方向と直交する向きにのびる長尺の横桟ｄと、該横桟ｄに係止部ｅ１を引っかけ係止される瓦ｅと、該瓦ｅを横桟ｄに固定する固着具ｆとを含む。
【０００３】
この屋根構造ａの横桟ｄは、例えば、流れ方向に沿ってのびる縦桟ｈを介して防水シート層ｃに固着されることにより、縦桟ｈ間に該横桟ｄと交わる向きの排水流路ｇが設けられる。このような排水流路ｇは、瓦ｅの隙間から浸入した雨水を、屋根の斜面を利用して軒先に排出する。
【０００４】
また、固着具ｆは、瓦ｅに設けられた挿通孔ｅ２から防水シート層ｃまで貫通して取付けられる。防水シート層ｃには、例えば、比較的柔軟性を有するアスファルトルーフィングが採用される。このため、防水シート層ｃは、固着具ｆによって貫通された後も、該固着具ｆに柔軟に密着し、一定の水密性が保たれる。
【０００５】
固着具ｆは、瓦ｅの挿通孔ｅ２と、縦桟ｈとの位置関係が定まっていないため、複数の固着具ｆのうち少なくとも一部は、排水流路ｇが形成される防水シート層ｃを貫通して固着される。なお、関連する文献としては次のものがある（下記特許文献１参照）。
【先行技術文献】
【特許文献】
【０００６】
【特許文献１】特開２００７−１７７６０５号公報
【発明の概要】
【発明が解決しようとする課題】
【０００７】
しかしながら、排水流路ｇが形成される防水シート層ｃを貫通する固着具ｆは、排水流路ｇで露出する部分ｋが、十分な締結力を発揮できない。このため、この固着具ｆは、例えば、台風や地震により、瓦ｅが上向きに押し上げられる、いわゆる吹上力に対して十分な抵抗力を発揮できず、固着具ｆと防水シート層ｃとの間に隙間ｉが生じやすい。
【０００８】
また、固着具ｆから伝達される太陽熱等による防水シート層ｃの熱劣化や、防水シート層ｃの経年劣化によっても、固着具ｆと防水シート層ｃとの間に隙間ｉが生じやすい。このような隙間ｉは、固着具ｆと防水シート層ｃとの水密性を失わせ、排水流路ｇを流れる雨水が、固着具ｆを伝って野地板ｂや小屋裏に侵入し、野地板ｂや小屋裏の腐朽等により屋根構造ａの耐久性を低下させるという問題があった。
【０００９】
本発明は、以上のような実状に鑑み案出されたもので、支持部材を介して防水シート層に横桟を固定することにより、該支持部材間に、該横桟と交わる向きの排水流路を設け、固着具を、瓦に設けられた挿通孔から、該瓦、横桟、前記支持部材、及び前記防水シート層を連続して貫通させることを基本として、野地板や小屋裏への浸水を抑制し、耐久性を向上しうる屋根構造及びその施工方法を提供することを主たる目的としている。
【課題を解決するための手段】
【００１０】
本発明のうち請求項１記載の発明は、垂木で支持された野地板と、該野地板の上に敷設される防水シート層と、該防水シート層上に固定されかつ屋根の流れ方向と直交する向きにのびる長尺の横桟と、該横桟に係止部を引っかけ係止される瓦と、該瓦を横桟に固定する固着具とを含む少なくとも一つの瓦屋根面を有する屋根構造であって、前記横桟は、支持部材を介して前記防水シート層に固定されることにより、該支持部材間に、該横桟と交わる向きの排水流路が設けられ、しかも前記固着具は、前記排水流路を通ることなく、前記瓦に設けられた挿通孔から、該瓦、前記横桟、前記支持部材、及び前記防水シート層を連続して貫通することを特徴とする。
【００１１】
また、請求項２記載の発明は、前記支持部材は、前記流れ方向に沿ってのびる長尺をなしかつ横桟の長手方向に隔設された縦桟からなる請求項１に記載の屋根構造である。
【００１２】
また、請求項３記載の発明は、前記支持部材は、前記横桟の下面から防水シート層側へ突出するブロック状の突出体からなる請求項１に記載の屋根構造である。
【００１３】
また、請求項４記載の発明は、前記突出体は、前記横桟の幅方向の両端内で終端する請求項３記載の屋根構造である。
【００１４】
また、請求項５記載の発明は、前記突出体は、前記横桟とは別体又は一体に設けられる請求項３又は４に記載の屋根構造である。
【００１５】
また、請求項６記載の発明は、前記支持部材には、その下面に、前記防水シート層とは別の防水シート層又はシーリング材が配される請求項１乃至５のいずれかに記載の屋根構造である。
【００１６】
また、請求項７記載の発明は、前記瓦屋根面は、幅方向の中間位置を、前記瓦を配置する際に該瓦の幅方向の一側縁を一致させる基準位置とし、前記支持部材は、瓦の前記一側縁と前記固着具が挿通される前記挿通孔との距離Ｌ２を前記基準位置から一方側に隔てた第１の位置、及び前記瓦の働き幅Ｌ１と前記距離Ｌ２との差（Ｌ１−Ｌ２）の距離を前記基準位置から他方側に隔てた第２の位置に配されるとともに、前記第１の位置から一方側に、及び／又は前記第２の位置から他方側に、前記働き幅Ｌ１の間隔で隔設されることを特徴とする請求項１乃至６の何れかに記載の屋根構造である。
【００１７】
また、請求項８記載の発明は、前記瓦は、千鳥状に配置されるとともに、前記支持部材は、前記第１の位置と前記第２の位置との中間位置である第３の位置にも配され、前記第３の位置から、一方側及び／又は他方側に、前記働き幅Ｌ１の間隔で隔設される請求項７に記載の屋根構造である。
【発明の効果】
【００１８】
本発明の屋根構造は、垂木で支持された野地板と、該野地板の上に敷設される防水シート層と、該防水シート層上に固定されかつ屋根の流れ方向と直交する向きにのびる長尺の横桟と、該横桟に係止部を引っかけ係止される瓦と、該瓦を横桟に固定する固着具とを含む少なくとも一つの瓦屋根面を有する。また、横桟は、支持部材を介して前記防水シート層に固定されることにより、該支持部材間に、該横桟と交わる向きの排水流路が設けられる。
【００１９】
固着具は、瓦に設けられた挿通孔から、該瓦、横桟、支持部材、及び防水シート層を連続して貫通する。このような固着具は、排水流路で露出することなく十分な締結力を発揮できるため、台風や地震による吹上力に対して十分な抵抗力を発揮できる。従って、屋根構造は、固着具と防水シート層との間に隙間が生じるのを防いで、野地板や小屋裏への浸水を抑制し、耐久性を向上しうる。
【００２０】
しかも、支持部材は、固着具の締結力により、防水シート層と密着し、該支持部材と防水シート層との間に雨水が浸入するのを抑制できる。従って、屋根構造は、例えば、太陽熱等による防水シート層の熱劣化により、固着具と防水シート層との間に隙間が生じたとしても、野地板や小屋裏へ雨水が浸入するのを抑制でき、耐久性を向上しうる。さらに、固着具は、排水流路を貫通しないため、該排水流路を流れる雨水が固着具を伝って野地板や小屋裏へ浸入するのを確実に防ぎうる。
【図面の簡単な説明】
【００２１】
【図１】本発明の屋根構造が用いられた住宅を示す斜視図である。
【図２】屋根構造の断面図である。
【図３】図２の拡大断面図である。
【図４】瓦の斜視図である。
【図５】図３のＡ−Ａ端面図である。
【図６】（ａ）は他の実施形態の支持部材を示す斜視図、（ｂ）はさらに他の実施形態の支持部材を示す斜視図である。
【図７】瓦屋根面を示す平面図である。
【図８】第１の挿通孔と支持部材との位置関係を説明する平面図である。
【図９】瓦が千鳥状に配置される屋根構造を示す平面図である。
【図１０】他の実施形態の屋根構造を示す平面図である。
【図１１】さらに他の実施形態の屋根構造を示す平面図である。
【図１２】（ａ）は従来の屋根構造を示す断面図、（ｂ）は（ａ）のｚ−ｚ端面図である。
【発明を実施するための形態】
【００２２】
以下、本発明の実施の一形態が図面に基づき説明される。
図１に示されるように、本実施形態の屋根構造１は、一般的な住宅に用いられ、平面視略矩形状の瓦６が千鳥状に配置されている。
【００２３】
この屋根構造１は、図２に示されるように、垂木２で支持された野地板３と、該野地板３の上に敷設される防水シート層４と、該防水シート層４上に固定されかつ屋根の流れ方向Ｆと直交する向きにのびる長尺の横桟５と、該横桟５に係止される瓦６と、該瓦６を横桟５に固定する固着具７とを含む少なくとも一つの瓦屋根面１ｓを有する。
【００２４】
前記垂木２は、例えばＩ形鋼、Ｈ形鋼等の鋼材からなる屋根梁１１に固定金具１２を介して取付けられ、棟側から軒側に向かって下降する勾配を有する。また、垂木２には、軒側の端部に、鼻板下地材１３及び鼻板１４を介して、軒樋１５が固着される。
【００２５】
前記野地板３は、前記垂木２の勾配に沿って固着され、鼻板１４よりも軒側に突出して配置される。また、野地板３には、例えば、強度の高い構造用合板が用いられ、その軒側の端部に、軒樋１５に向かって傾斜する軒先水切板１６が設けられる。
【００２６】
前記防水シート層４は、野地板３の上に、屋根の流れ方向Ｆに直行する方向に軒側から棟側に向かって敷設される。また、防水シート層４には、防水性、及び柔軟性に優れるアスファルトルーフィングや透湿防水シートが採用されるのが好ましい。
【００２７】
前記横桟５は、屋根の流れ方向Ｆに隔設される。この横桟５は、図３に拡大して示されるように、例えば、その厚さＷ１が１０〜２０mm程度、その幅Ｗ２が２５〜３５mm程度の断面略矩形状に形成される。
【００２８】
前記瓦６は、図４に示されるように、平面視略矩形の板状に形成される瓦本体６Ａと、該瓦本体６Ａの幅方向の一側縁６ｔ１に段差を有して薄板状で連なる差込部６Ｂとが設けられる。
【００２９】
前記瓦本体６Ａは、図３及び図４に示されるように、棟側の下面に小長さで突出する係止部６Ａａが設けられる。この係止部６Ａａは、横桟５の棟側のコーナ部に引っかけられ、瓦６を係止しうる。また、瓦本体６Ａの棟側には、固着具７が挿通される挿通孔１７が設けられる。本実施形態の挿通孔１７は、他側縁６ｔ２側に形成される第１の挿通孔１７Ａと、一側縁６ｔ１側に形成される第２の挿通孔１７Ｂとを含んでいる。これらの挿通孔１７Ａ、１７Ｂの下方には、係止部６Ａａが引っかけられる横桟５が配置される。
【００３０】
また、瓦本体６Ａの軒側の下面には、小長さで突出する下突部６Ａｂが設けられる。この下突部６Ａｂは、流れ方向Ｆに隣り合う瓦６の表面に密着することにより、雨水の浸入を防ぎうる。さらに、下突部６Ａｂは、流れ方向Ｆに隣り合う瓦６との間に隙間を形成し、該隙間に水返（図示省略）を配置することにより、雨水の浸入をより効果的に防ぎうる。
【００３１】
前記差込部６Ｂは、一側縁６ｔ１側で隣り合う瓦６の下面６Ａｃに重ねられる。これにより、瓦本体６Ａは、流れ方向Ｆと直交する向きに隣り合う瓦６の瓦本体６Ａと隙間なく配置される。
【００３２】
また、瓦６は、差込部６Ｂと、挿通孔１７Ａ、１７Ｂが設けられる棟側の一部とが、流れ方向Ｆ及び流れ方向Ｆと直交する向きに隣り合う瓦６に覆われる。これにより、本実施形態の瓦６の働き幅Ｌ１は、例えば２５０〜３５０mm程度、働き長さＬ３が２３０〜３３０mm程度に設定される。
【００３３】
前記固着具７は、各瓦６に少なくとも一つ用いられる。本実施形態では、１つの固着具７が用いられ、瓦６の第１の挿通孔１７Ａに挿入される。なお、第２の挿通孔１７Ｂには、第１の挿通孔１７Ａが使用できない場合や、補強時にのみ、固着具７が挿入される。また、固着具７は、瓦６から野地板３に至る長さを有し、大きな締結力を発揮しうる。固着具７には、例えば、釘、ビス、リングネイル等が用いられるのが好ましい。
【００３４】
本実施形態の屋根構造１では、図３、図５に示されるように、横桟５が、支持部材９を介して防水シート層４に固定されることにより、支持部材９、９間に、該横桟５と交わる向きの排水流路１０が設けられる。この排水流路１０は、瓦６の隙間から浸入した雨水や結露を、野地板３の勾配を利用して軒先側に案内し、軒先水切板１６を介して軒樋１５に排出しうる。
【００３５】
本実施形態の支持部材９は、流れ方向Ｆに沿ってのびる長尺をなし、かつ横桟５の長手方向に隔設された縦桟９Ａからなる。本実施形態の縦桟９Ａは、その厚さＷ３が横桟５よりも薄い２〜４mm程度、その幅Ｗ４が４０〜６０mm程度の断面略矩形状に形成される。
【００３６】
また、屋根構造１では、固着具７が、瓦６に設けられた第１の挿通孔１７Ａから、該瓦６、横桟５、支持部材９（本実施形態では縦桟９Ａ）、及び防水シート層４を連続して貫通する。
【００３７】
このように、本実施形態の固着具７は、支持部材９を含む各部材を連続して貫通するため、排水流路１０のような空間部に露出することなく十分な締結力を発揮することができる。これにより、固着具７は、台風や地震による吹上力に対して十分な抵抗力を発揮できる。従って、屋根構造１は、吹上力による固着具７の位置ズレ等により、固着具７と防水シート層４との間に隙間が生じるのを防いで、野地板３や小屋裏２０（図２に示す）への浸水を抑制し、耐久性を向上しうる。
【００３８】
しかも、固着具７は、排水流路１０が形成される防水シート層４を貫通しないので、該排水流路１０を流れる雨水が固着具７を伝って野地板３や小屋裏２０へ浸入するのを確実に防ぎうる。
【００３９】
さらに、支持部材９は、固着具７の締結力により、防水シート層４に密着し、該支持部材９と防水シート層４との間に雨水が浸入するのを抑制できる。従って、屋根構造１は、例えば、太陽熱等による防水シート層４の熱劣化により、固着具７と防水シート層４との間に隙間が生じたとしても、野地板３や小屋裏２０へ雨水が浸入するのを抑制でき、耐久性を向上しうる。
【００４０】
前記支持部材９は、本実施形態のような縦桟９Ａからなるものに限定されるわけではなく、例えば、  図６（ａ）に示されるように、横桟５の下面から防水シート層４側へ突出するブロック状の突出体９Ｂでもよい。このような突出体９Ｂも、固着具７を貫通させることにより、排水流路１０を形成しつつ、吹上力に対して十分な抵抗力を発揮できる。
【００４１】
また、この実施形態の突出体９Ｂは、予め横桟５と一体に形成されるとともに、横桟５の幅方向の両端内で終端している。これにより、突出体９Ｂは、横桟５とともに工場で予め形成できるとともに、縦桟９Ａを固着する必要がないので、施工性を大幅に向上しうる。
【００４２】
さらに、突出体９Ｂは、図６（ｂ）に示されるように、横桟５とは別体で形成されてもよい。このような突出体９Ｂは、その構造を簡素化できるので、製造コストを抑えうる。なお、突出体９Ｂは、工場において、横桟５に接着剤等で予め固着されるのが好ましい。
【００４３】
また、図６（ａ）、（ｂ）に示されるように、支持部材９には、防水シート層４（図５に示す）に当接する下面に、該防水シート層４とは別の防水シート層１８やシーリング材（図示省略）が配されるのが好ましい。このような防水シート層１８は、防水シート層４との相乗効果により、野地板３や小屋裏２０への浸水を効果的に抑制しうる。本実施形態では、突出体９Ｂの下面に防水シート層１８が固着されるものを例示したが、縦桟９Ａの下面に、防水シート層１８やシーリング材が配されても良いのはいうまでもない。
【００４４】
上記のように、固着具７を支持部材９に確実に貫通させるためには、瓦６の第１の挿通孔１７Ａと支持部材９との位置関係が予め定められるのが好ましい。本実施形態では、図７に示されるように、瓦屋根面１Ｓの幅方向の中間位置を、瓦６を配置する際に、該瓦６（本実施形態では、瓦本体６Ａ）の一側縁６ｔ１を一致させる基準位置ＢＬとして、支持部材９を配置される位置が定められる。この基準位置ＢＬは、支持部材９が配置される前に、例えば、防水シート層４等に予め表示される。
【００４５】
本実施形態では、図８に示されるように、瓦本体６Ａの一側縁６ｔ１と固着具７が挿通される第１の挿通孔１７Ａとの距離Ｌ２を、基準位置ＢＬから一方側Ｓ１に隔てた第１の位置Ｂ１に支持部材９が配されるとともに、瓦の働き幅Ｌ１と前記距離Ｌ２との差（Ｌ１−Ｌ２）の距離を、基準位置ＢＬから他方側Ｓ２に隔てた第２の位置Ｂ２に支持部材９が配される。ここで、「支持部材９が第１、第２の位置Ｂ１、Ｂ２に配される」とは、該支持部材９が第１、第２の位置Ｂ１、Ｂ２を跨って配され、かつ第１の位置Ｂ１及び第２の位置Ｂ２から該支持部材９の幅方向の両端９ｔまでの最短距離Ｌ４が、固着具７の有効径（ビスの場合は、ネジ軸の最大径）よりも大きければよい。
【００４６】
これにより、基準位置ＢＬを境に一方側Ｓ１及び他方側Ｓ２に隣り合う各瓦６、６は、支持部材９が各第１の挿通孔１７Ａの下方に配置され、固着具７を支持部材９に確実に貫通させることができる。
【００４７】
さらに、支持部材９は、第１の位置Ｂ１から一方側Ｓ１、及び／又は第２の位置Ｂ２から他方側Ｓ２に、働き幅Ｌ１の間隔で隔設される。これにより、一方側Ｓ１及び／又は他方側Ｓ２に連続して配置される瓦６も、固着具７を支持部材９に確実に貫通させることができる。
【００４８】
また、本実施形態では、第１の位置Ｂ１と第２の位置Ｂ２との中間位置である第３の位置Ｂ３にも、支持部材９が配される。さらに、支持部材９は、この第３の位置から、一方側Ｓ１及び／又は他方側Ｓ２に、前記働き幅Ｌ１の間隔で隔設される。
【００４９】
これにより、図９に示されるように、図８で配置した瓦６の流れ方向Ｆで隣り合う瓦６も、第１の挿通孔１７Ａの下方に支持部材９を配置することができる。なお、本実施形態のような千鳥状ではなく、流れ方向Ｆに隣り合う瓦６が一列に並んで配置される場合には、第３の位置Ｂ３に支持部材９が配される必要がないのはいうまでもない。
【００５０】
図１０には、本発明の他の実施形態の屋根構造１が示される。
この実施形態の屋根構造１も、瓦６が千鳥状に配置される。また、支持部材９は、第１の位置Ｂ１から一方側Ｓ１に、及び／又は第２の位置Ｂ２から他方側Ｓ２に、働き幅Ｌ１の間隔で隔設される。
【００５１】
この実施形態では、第１、第２の位置Ｂ１、Ｂ２に配される支持部材９が、図８に示される支持部材９よりも幅広に設定され、流れ方向Ｆで隣り合う瓦６の第１の挿通孔１７Ａの下方にも配置されている。これにより、この実施形態の屋根構造１では、千鳥状に配置される瓦６を、第３の位置Ｂ３に支持部材９を配することなく、固着具７を支持部材９に確実に貫通させることができる。
【００５２】
また、図１１には、本発明のさらに他の実施形態の屋根構造１が示される。
この実施形態の屋根構造１も、瓦６が千鳥状に配置され、支持部材９が、第１の位置Ｂ１から一方側Ｓ１に、及び／又は第２の位置Ｂ２から他方側Ｓ２に、働き幅Ｌ１の間隔で隔設される。
【００５３】
また、この実施形態では、第１、第２の位置Ｂ１、Ｂ２に配される支持部材９を、流れ方向Ｆで隣り合う瓦６の第２の挿通孔１７Ｂの下方にも配置させ、この第２の挿通孔１７Ｂに固着具７を挿通させている。これにより、この実施形態の屋根構造１も、第３の位置Ｂ３に支持部材９を配することなく、固着具７を支持部材９に確実に貫通させることができる。しかも、本実施形態の屋根構造１は、図１０に示される支持部材９よりも幅を小さく設定できるので、排水性が低下することもない。
【００５４】
以上、本発明の特に好ましい実施形態について詳述したが、本発明は図示の実施形態に限定されることなく、種々の態様に変形して実施しうる。
【符号の説明】
【００５５】
１      屋根構造
２      垂木
３      野地板
４      防水シート層
５      横桟
６      瓦
７      固着具
９      支持部材
１０      排水流路
【図１】
0005626979.tif 000002
【図２】
0005626979.tif 000003
【図３】
0005626979.tif 000004
【図４】
0005626979.tif 000005
【図５】
0005626979.tif 000006
【図６】
0005626979.tif 000007
【図７】
0005626979.tif 000008
【図８】
0005626979.tif 000009
【図９】
0005626979.tif 000010
【図１０】
0005626979.tif 000011
【図１１】
0005626979.tif 000012
【図１２】
0005626979.tif 000013